(57)【要約】【課題】本発明は、モジュラーコネクタに関し、モジュラージャックに、極数の異なるモジュラープラグが挿入されるのを防止する構造を、低コストで且つ容易にできるようにすることが課題である。【解決手段】モジュラージャックとモジュラープラグとからなるモジュラーコネクタであって、前記モジュラージャック２の端子４を併設する複数の溝２ｂのうちの一部の溝に、前記端子の前方側に当該端子に対応する相手方のモジュラープラグの溝に挿入される誤挿着防止キー５を設けたモジュラーコネクタ１とする。【選択図】    図１
2004227892.tif 000002
【特許請求の範囲】
【請求項１】
モジュラージャックとモジュラープラグとからなるモジュラーコネクタであって、前記モジュラージャックの端子を併設する複数の溝のうちの一部の溝に、前記端子の前方側に当該端子に対応する相手方のモジュラープラグの溝に挿入される誤挿着防止キーを設けたこと、
を特徴とするモジュラーコネクタ。
【請求項２】
誤挿着防止キーが配設される溝は、左右に併設された前記溝のうちの左右端部の溝であること、
を特徴とする請求項１に記載のモジュラーコネクタ。
【発明の詳細な説明】
【０００１】
【発明の属する技術分野】
本発明は、モジュラーコネクタに係り、詳しくは、モジュラージャックに、極数の異なるモジュラープラグが挿入されようとした場合に、それを接続者に誤挿入であることが確実に判るようにしたモジュラーコネクタに関する。
【０００２】
【従来の技術】
従来において、例えば、電話設備若しくはＬＡＮ（ローカルエリアネットワーク）において、機器接続用のケーブルのモジュラープラグが、図６に示すように、８極用タイプのモジュラープラグ３と、６極用タイプのモジュラープラグ１２とがある。そこで、モジュラージャックに挿着される場合、前記モジュラープラグ１２が６極用タイプで、前記モジュラージャックが８極用タイプである場合には、被挿着側のモジュラージャックの開口部が大きく、しかも各端子のピッチが同じであるので、誤って６極用タイプの前記モジュラープラグが挿着されてしまうことがある。なお、この逆の場合には、物理的に嵌合できないので誤挿着のおそれはない。
【０００３】
そこで、このような誤挿着を防止するために、誤挿着防止機構を備えたモジュラージャックの提案がなされている（例えば、特許文献１参照。）。
【０００４】
【特許文献１】
特開２００２−３１３４９２号公報（第１頁、第１３図〜第１７図）
【０００５】
【発明が解決しようとする課題】
しかしながら、前記誤挿着防止機構は、モジュラージャックに設けられたカム部と、モジュラープラグの絶縁体の一部に当接するストッパーとからなる防止手段であり、この防止手段を装着するために、モジュラージャックの絶縁体の形状が複雑になり、及び、大きさが大きくなって小型化に向かないものであるという課題がある。本発明に係るモジュラーコネクタは、このような課題を解消するために提案されたものである。
【０００６】
【課題を解決するための手段】
上記課題を解決するために、本発明に係るモジュラーコネクタの要旨は、モジュラージャックとモジュラープラグとからなるモジュラーコネクタであって、前記モジュラージャックの端子を併設する複数の溝のうちの一部の溝に、前記端子の前方側に当該端子に対応する相手方のモジュラープラグの溝に挿入される誤挿着防止キーを設けたことである。
【０００７】
前記誤挿着防止キーが配設される溝は、左右に併設された前記溝のうちの左右端部の溝であることを含むものである。
【０００８】
本発明に係るモジュラーコネクタによれば、モジュラーシャックが８極用タイプである場合に、そこに６極用タイプのモジュラープラグが挿着されようとすると、ジャック側の溝に配設された誤挿着防止キーの前端面が、当該溝に対応する位置においてプラグ側に溝が無いので、プラグ側の絶縁体の壁に衝突することになり、極数の多いジャックに対して極数の少ないプラグの誤挿着が防止される。
【０００９】
また、前記誤挿着防止キーを、モジュラージャックの端子用の溝に配設することで、ジャック用絶縁体の外形状を大きくしたり、複雑に加工したり、ジャック用金型を大きく変更したりする必要がない。
【００１０】
【発明の実施の形態】
次に、本発明に係るモジュラーコネクタ１について、図面を参照して説明する。発明の理解を容易にするため、従来例に対応する部分には、従来例と同一の符号を付けて説明する。
【００１１】
前記モジュラーコネクタ１は、図１乃至図５に示すように、モジュラージャック２とモジュラープラグ３とからなるものである。
【００１２】
前記モジュラージャック２は、例えば、８極用タイプのものであって、このジャックの絶縁体２ａには、図２（Ｂ）の正面図に示すように、前面略中央において前端面に開口しているとともに奥（前後方向）にかけて穿孔された大きな挿着用空所が設けられ、ここにモジュラープラグ３を挿着するようになっている。また、この挿着用空所の下部分には、８個の溝２ｂが前後方向に延びて、且つ、左右方向には所定のピッチで併設されている。
【００１３】
前記溝２ｂの各々には、図３に示すように、電気的接続用の端子４が圧入される。該端子４の後方のリード部は、例えば、プリント基板上に半田付けされるものである。そして、前記溝２ｂの内の、一部の溝に、即ち、左右端部の溝２ｂ，２ｂ（Ｎｏ．１とＮｏ．８）には、当該端子２ｂに対応する相手方のモジュラープラグ３の溝３ｉ（図５（Ｂ）参照）に挿入される、誤挿着防止キー５を設ける。
【００１４】
前記誤挿着防止キー５は、図４に示すように、金属製薄板を打ち抜いたものであって、前後方向に細長く延びているもので、絶縁体への固定用の圧入部５ａと、弾性支持する引出部５ｂと、前記Ｎｏ．１とＮｏ．８との溝２ｂの前方に配置されるキー部５ｃ，５ｄとからなる。このキー部５ｃ，５ｄは、図示するように、屈曲方向を反対にして左右対称に形成されるものである。
【００１５】
また、図２に示すように、前記誤挿着防止キー５を絶縁体２ａに取り付けるために、当該絶縁体２ａに、前記Ｎｏ．１とＮｏ．８との溝２ｂの左右側にそれぞれ固定溝２ｃ，２ｄと、当該Ｎｏ．１とＮｏ．８との溝２ｂに連通する連通溝２ｅ，２ｆとを設ける。
【００１６】
こうして、絶縁体２ａに各端子４を固定した後に、前記誤挿着防止キー５を固定溝２ｃ，２ｄに圧入する。これにより、前記Ｎｏ．１とＮｏ．８との溝２ｂにおける端子４の前方に、誤挿着防止キー５のキー部５ｃ，５ｄが配設される。
【００１７】
このようにして、形成したモジュラージャック２の使用方法を説明する。前記ジャック２の挿着用空所に、図５乃至図６（Ａ）に示すように、８極用タイプのモジュラープラグ３を挿着する。そして、嵌合の際には、プラブ３の挿着部の下端面３ｊは、ジャック２の挿着用空所の底面２ｇに摺接して載る。
【００１８】
前記モジュラープラグ３がモジュラージャック２の挿着用空所に挿入されると、溝３ｉ及び端子３ａ，…３ｈと、溝２ｂ及び端子４とが、対向して対峙する。そして、前記プラグ３が後方に挿入されるに従って、前記キー部５ｃ，５ｄが左右端部側の溝３ｉにそれぞれ入り込む。前記キー部５ｃ，５ｄの上端面の高さが、前記端子３ａ，３ｈの下端面の位置よりも相対的に低くなるように設定され若しくは下方に移動可能にされており、当該キー部５ｃ，５ｄの上を前記端子３ａ，３ｈが通過する。
【００１９】
そして、前記プラグ３の後方への挿入により、プラグ側の８個の各端子３ａ、…，３ｈが、ジャック側の８個の各々端子４に当接して、電気的接続が成される。
【００２０】
前記キー部５ｃ，５ｄは、図４に示すように、細長い引出部５ｂに弾性的に支持されている。よって、前記プラグ３の下端面３ｊに前記キー部５ｃ，５ｄが弾性的に当接しながら、この下面３ｊの前後方向に存在する凹凸に応じて、図１（Ｃ）に示すように、上下に揺動する。こうして、モジュラージャックの挿着用空所に前記プラグ３を挿着させてロックさせることができる。このように、モジュラーコネクタ１におけるモジュラージャックとモジュラープラグとの端子の極数が合致している時には、その接続・嵌合において、前記誤挿着防止キー５が障害となることがない。
【００２１】
一方、前記８極用タイプのモジュラージャック２に、図６（Ｂ）に示す６極用タイプのモジュラープラグ１２を挿着させようとすると、その６個の端子１２ａが、前記ジャック２のセンターで振り分けて６個の端子４と対向して対峙するが、当該ジャック２の左右端部にあるＮｏ．１とＮｏ．８との溝２ｂ及び端子４に対応するプラグ１２側の溝及び端子が存在しない。
【００２２】
よって、前記モジュラープラグ１２をジャック２の挿着用空所に挿着しようとしても、前記Ｎｏ．１とＮｏ．８との溝２ｂにおける端子４の前方に配設されたキー部５ｃ，５ｄが、当該プラグ１２の絶縁体の前端面に衝突して、嵌合が不可能となる。
【００２３】
こうして、極数の多いモジュラージャックに極数の少ないモジュラープラグを挿着してしまうと言う、誤挿着が前記誤挿着防止キー５によって防止されるものである。また、この誤挿着防止構造は、モジュラージャックの挿着用空所の溝を追加して容易に施工できるので、モジュラージャック２、若しくは、このジャック用金型の大幅な変更にならず、外形状を大きくしたりすることがない。
【００２４】
【発明の効果】
上記説明したように、本発明に係るモジュラーコネクタは、モジュラージャックとモジュラープラグとからなるモジュラーコネクタであって、前記モジュラージャックの端子を併設する複数の溝のうちの一部の溝に、前記端子の前方側に当該端子に対応する相手方のモジュラープラグの溝に挿入される誤挿着防止キーを設けたので、誤挿着が防止されると共に、端子用の溝に設けるようにしたので、モジュラージャックの外形状が大きくなることが無く、既存のモジュラージャックの金型の追加加工も容易であって、製造コストを低減できると言う優れた効果を奏するものである。
【図面の簡単な説明】
【図１】本発明に係るモジュラーコネクタ１における、モジュラージャック２の平面図（Ａ）、正面図（Ｂ）、側面図（Ｃ）である。
【図２】同本発明に係るモジュラージャック２における絶縁体２ａの、Ａ−Ａ線に沿った断面図（Ａ）、正面図（Ｂ）、Ｂ−Ｂ線に沿った断面図（Ｃ）である。
【図３】図１（Ｂ）のＣ−Ｃ線に沿った断面図である。
【図４】本発明に係るモジュラージャック２における誤挿着防止キー５の斜視図である。
【図５】８極用タイプのモジュラープラグ３の側面図（Ａ）、正面図（Ｂ）、底面図（Ｃ）である。
【図６】８極用タイプのモジュラープラグ３の斜視図（Ａ）と、６極用タイプのモジュラープラグ１２の斜視図（Ｂ）である。
【符号の説明】
１          モジュラーコネクタ、      ２          モジュラージャック、
２ａ        絶縁体、                  ２ｂ        溝、
２ｃ，２ｄ  固定溝、                  ２ｅ，２ｆ  連通溝、
２ｇ        底面、
３          ８極用モジュラープラグ、  ３ａ，３ｂ，…３ｈ  端子、
３ｉ        溝、                      ３ｊ        下端面、
４          端子、
５          誤挿着防止キー、          ５ａ        圧入部、
５ｂ        引出部、                  ５ｃ，５ｄ  キー部、
１２        ６極用モジュラープラグ。
【図１】
2004227892.tif 000003
【図２】
2004227892.tif 000004
【図３】
2004227892.tif 000005
【図４】
2004227892.tif 000006
【図５】
2004227892.tif 000007
【図６】
2004227892.tif 000008